(57)【要約】【課題】薬液ボトル側の薬液量の残り使用可能回数が設定回数以下になった事を判別することができ、洗浄消毒を円滑に行うのに適した内視鏡洗浄消毒装置を提供する。【解決手段】自重式の洗浄薬液希釈機構６と消毒薬液希釈機構７を有する。洗浄薬液希釈機構６は、薬液ボトル２９の下方に水位センサ３５が設けられたリザーバータンク３１が配置され、その下方に希釈タンク３６が配置され、水位センサ３５により所定の薬液量の水位の検知結果により、制御部８は残り使用可能回数が予め設定された設定回数以下になったことを判定し、表示部９にて表示により告知する。【選択図】図１
2010035619.tif 000002
【特許請求の範囲】
【請求項１】
内視鏡を洗浄消毒する薬液が注入された薬液ボトルと、
前記薬液ボトルの下方に配置され、前記薬液ボトルからの前記薬液を所定の量だけ前記薬液の自重により貯留するための貯留タンクと、
前記貯留タンクより供給される前記薬液を希釈する希釈タンクと、
前記薬液ボトルから前記貯留タンクを介して前記希釈タンクに前記薬液を供給する供給管路と、
前記貯留タンク内に設けられた前記薬液の水位を検知する水位検知センサと、
前記水位検知センサの検知結果に基づき、少なくとも前記貯留タンクを含めた前記薬液ボトル側に残存している薬液量による洗浄消毒を行う際の残り使用可能回数が設定回数以下か否かを判別する判別手段と、
を有することを特徴とする内視鏡洗浄消毒装置。
【請求項２】
前記貯留タンク内の薬液量を所定量になるように前記供給管路への薬液供給を制御する制御手段を有することを特徴とする請求項１に記載の内視鏡洗浄消毒装置。
【請求項３】
さらに前記貯留タンクと前記希釈タンクとの間に設けられた前記供給管路を開閉する第２の開閉部を有し、前記制御手段は、前記第２の開閉郎を開閉制御することを特徴とする請求項２に記載の内視鏡洗浄消毒装置。
【請求項４】
さらに前記薬液ボトルと前記貯留タンクとの間に設けられた前記供給管路を開閉する開閉部を有し、制御手段は、前記開閉部を開閉制御することを特徴とする請求項２に記載の内視鏡洗浄消毒装置。
【請求項５】
前記判別手段による判別結果を告知する告知手段を有することを特徴とする請求項１から４のいずれかの請求項に記載の内視鏡洗浄消毒装置。
【請求項６】
さらに１回の洗浄消毒の使用毎に、残存する薬液量及び残り使用可能回数の情報を記憶する記憶手段を有することを特徴とする請求項１から５のいずれかの請求項に記載の内視鏡洗浄消毒装置。
【請求項７】
さらに前記貯留タンクと前記希釈タンクとの間に設けられ、前記薬液を前記希釈タンクヘ送液する送液ポンプを有し、前記制御手段は、前記送液ポンプによる送液を制御することを特徴とする請求項２から６のいずれかの請求項に記載の内視鏡洗浄消毒装置。
【請求項８】
前記希釈タンクは、前記貯留タンクの下方に配置され、前記貯留タンクに貯留された前記薬液は、その自重により前記供給管路を介して希釈タンクに供給されることを特徴とする請求項１から６のいずれかの請求項に記載の内視鏡洗浄消毒装置。
【発明の詳細な説明】
【技術分野】
【０００１】
本発明は、内視鏡を洗浄及び消毒する内視鏡洗浄消毒装置に関する。
【背景技術】
【０００２】
医療分野において使用される内視鏡は、内視鏡検査を行う毎に内視鏡洗浄消毒装置により洗浄及び消毒が行われる。例えば、消毒のためには消毒液が広く使用される。  
消毒液で消毒を行う場合、薬液ボトル内に予め注入された濃縮された消毒薬液を希釈タンク内に送液して水で希釈或いは薄めて調合する方式が一般的に採用されている。  
例えば、特開平６−１３３９２９号公報の従来例には、薬液ボトル（薬液タンク）と洗浄槽を結ぶ管路における、この薬液ボトルの下に定量タンクを設け、この定量タンクの上下両側に電磁弁を配置した構成が開示されている。
【特許文献１】特開平６−１３３９２９号公報
【発明の開示】
【発明が解決しようとする課題】
【０００３】
薬液を自重により送液する方式の場合には、上記従来例のように、薬液ボトル内の薬液量の消毒を行う場合の残り使用可能回数を判別できなかった。このため、実際に消毒の処理を行う最中に薬液が不足して、洗浄消毒を円滑に完了することができない場合が発生する。  
このため、洗浄消毒の処理に使用され、希釈して使用される薬液ボトル側の薬液量の残り使用可能回数が例えば数回程度になった事を判別ないしは確認できると便利である。    本発明は上述した点に鑑みてなされたもので、薬液ボトル側の薬液量の残り使用可能回数が設定回数以下になった事を判別することができ、洗浄消毒を円滑に行うのに適した内視鏡洗浄消毒装置を提供することを目的とする。
【課題を解決するための手段】
【０００４】
本発明の内視鏡洗浄消毒装置は、
内視鏡を洗浄消毒する薬液が注入された薬液ボトルと、
前記薬液ボトルの下方に配置され、前記薬液ボトルからの前記薬液を所定の量だけ前記薬液の自重により貯留するための貯留タンクと、
前記貯留タンクより供給される前記薬液を希釈する希釈タンクと、
前記薬液ボトルから前記貯留タンクを介して前記希釈タンクに前記薬液を供給する供給管路と、
前記貯留タンク内に設けられた前記薬液の水位を検知する水位検知センサと、
前記水位検知センサの検知結果に基づき、少なくとも前記貯留タンクを含めた前記薬液ボトル側に残存している薬液量による洗浄消毒を行う際の残り使用可能回数が設定回数以下か否かを判別する判別手段と、
を有することを特徴とする。
【発明の効果】
【０００５】
本発明によれば、貯留タンクを含めた薬液ボトル側の残り使用可能回数が設定回数以下になった事判別することができる。
【発明を実施するための最良の形態】
【０００６】
以下、図面を参照して本発明の実施例を説明する。
【０００７】
（実施例１）
図１から図５は本発明の実施例１に係り、図１は本発明の実施例１の内視鏡洗浄消毒装置における自重式の消毒薬液希釈機構を含む構成を示し、図２は図１における消毒薬液供給部の構成を示し、図３Ａ〜図３Ｃは消毒薬液供給部をボトル収納前、ボトル収納後、及びボトル収納後における残り使用回数が所定回数以下に達した状態をそれぞれ示す。図４は実施例１の第１の変形例における消毒薬液希釈機構を含む構成を示し、図５は実施例１の第２の変形例における消毒薬液希釈機構を含む構成を示す。  
図１に示すように本発明の実施例１の内視鏡洗浄消毒装置１は、洗浄消毒対象となる内視鏡２を収納して洗浄消毒を行う洗浄消毒槽３と、この洗浄消毒槽３に洗浄液供給管路４、消毒液供給管路５をそれぞれ介して接続された洗浄薬液希釈機構６及び消毒薬液希釈機構７と、これらを制御する制御部８と、制御結果等の情報を表示により告知する表示部９とを有する。
【０００８】
洗浄液供給管路４及び消毒液供給管路５の途中にそれぞれポンプ１１、１２が介挿されており、制御部８の制御下で、洗浄薬液希釈機構６及び消毒薬液希釈機構７においてそれぞれ調合された洗浄液及び消毒液を、例えば汲み上げて洗浄消毒槽３内に供給する。  
洗浄消毒槽３は、給水弁１３が設けられた送水管路１４を介して水道蛇口１５等の給水源に接続され、また（内視鏡）外表面洗浄消毒管路１６及び（内視鏡）管路内面洗浄消毒管路１７とも接続されている。  
外表面洗浄消毒管路１６及び管路内面洗浄消毒管路１７の一端は、洗浄消毒槽３の底部の循環水排出口１８に連結されると共に、他端は途中に介挿されたポンプ１９，２０を介して例えば洗浄消毒槽３の壁面に設けられた給液口２１，２２に接続されている。
【０００９】
また、この洗浄消毒槽３の底面に設けられた排液口２３は、排液弁２４を設けた排液管路２５と接続され、この排液管路２５の途中に排液を行うポンプ２６が接続されている。  なお、給液口２２は洗浄消毒槽３の内部の接続チューブ２７を介して内視鏡２に設けられた送気送水等を行う流体口金の接続部２８に接続される。  
なお、上述したポンプ１１，１２，１９，２０，２６、給水弁１３、排液弁２４は、制御部８により制御される。また、以下に説明する電磁弁等も制御部８により制御される。  一方、洗浄薬液希釈機構６は、濃縮された洗浄薬液が注入された洗浄薬液ボトル（単に薬液ボトルとも言う）２９及びボトル収納部３０と、この薬液ボトル２９とボトル収納部３０を介して接続され、所定量の洗浄薬液を貯留する貯留タンクとしての洗浄薬液リザーバータンク（単にリザーバータンクとも言う）３１と、このリザーバータンク３１と接続され、下端付近に開閉する開閉部としての電磁弁３２が設けられた（洗浄）薬液供給管路３３とからなる自重式の洗浄薬液供給部３４を有する。
【００１０】
この洗浄薬液供給部３４の薬液供給管路３３の下端は、洗浄薬液希釈タンク（単に希釈タンクとも言う）３６に接続され、制御部８の制御下で開閉が制御される電磁弁３２が開にされた場合、リザーバータンク３１から洗浄薬液が、その自重により希釈タンク３６内に供給される。なお、リザーバータンク３１には、その内部の洗浄薬液の水位を検知する水位検知センサとしての水位センサ３５が設けられており、この水位センサ３５の検出信号は制御部８に入力される。  
また、この希釈タンク３６は、途中に希釈弁３７ａが設けられた希釈用管路３７の一端側と接続され、その他端は希釈水の給水源となる例えば水道蛇口３７ｂと接続される。    また、この希釈タンク３６には、この希釈タンク３６内に供給される希釈水、洗浄薬液の供給量を検出する水位センサ３８が設けられており、この水位センサ３８の検出信号は制御部８に入力される。
【００１１】
そして、制御部８の制御下で希釈タンク３６には、１回分の（内視鏡）洗浄処理を行う洗浄薬液が希釈水で希釈による調合により洗浄液として貯留され、洗浄を行う洗浄工程が開始すると制御部８は、ポンプ１１を駆動させて洗浄液を洗浄消毒槽３内に供給する。    また、消毒薬液希釈機構７は、洗浄薬液希釈機構６と類似した構成である。但し、本実施例においては、消毒薬液希釈機構７は、消毒薬液として２種類の第１消毒薬液及び第２消毒薬液（例えば第１消毒薬液は消毒薬液主剤、第２消毒薬液は活性化するための消毒薬液活性化剤）を用いて構成されるため、２つの消毒薬液供給部４４Ａ，４４Ｂを備えて構成される。  
この消毒薬液希釈機構７は、濃縮された第１消毒薬液及び第２消毒薬液が予めそれぞれ注入された消毒薬液ボトル（単に薬液ボトルと言う）３９Ａ、３９Ｂ及びそのボトル収納部４０Ａ、４０Ｂと、各薬液ボトル３９Ａ、３９Ｂとそれぞれ接続され、それぞれ所定量の消毒薬液を貯留する貯留タンクとしての消毒薬液リザーバータンク（単にリザーバータンクとも言う）４１Ａ、４１Ｂと、各リザーバータンク４１Ａ、４１Ｂとそれぞれ接続され、下端付近に開閉する開閉部としての電磁弁４２Ａ、４２Ｂがそれぞれ設けられた（消毒）薬液供給管路４３Ａ、４３Ｂとからなる自重式の消毒薬液供給部４４Ａ、４４Ｂを有する。
【００１２】
各消毒薬液供給部４４Ｉ（Ｉ＝Ａ，Ｂ）の薬液供給管路４３Ｉの下端は、消毒薬液希釈タンク（単に希釈タンクとも言う）４６に接続され、制御部８の制御下で電磁弁４２Ｉが開にされた場合、リザーバータンク４１Ｉから消毒薬液が、その自重により希釈タンク４６内に供給される。なお、リザーバータンク４１Ｉには、内部に貯留された消毒薬液の水位を検知する水位検知センサとしての水位センサ４５Ｉが設けられており、この水位センサ４５Ｉの検出信号は制御部８に入力される。  
また、この希釈タンク４６は、途中に希釈弁４７ａが設けられた希釈用管路４７の一端側と接続され、その他端は希釈水の給水源となる例えば水道蛇口４７ｂと接続される。    また、この希釈タンク４６には、この希釈タンク４６内に供給される希釈水、第１消毒薬液、第２消毒薬液の供給量を検出する水位センサ４８が設けられており、この水位センサ４８の検出信号は制御部８に入力される。
【００１３】
そして、制御部８の制御下で希釈タンク４６には、１回分の消毒を行う消毒薬液が希釈水で希釈による調合により消毒液として貯留され、消毒工程が開始すると制御部８はポンプ１２を駆動させて消毒液を洗浄消毒槽３内に供給する。  
なお、制御部８は、例えば制御部８内に書き換え可能な不揮発性メモリとしての例えばフラッシュメモリ８ａを有する。  
そして、制御部８は、１回の洗浄消毒処理を行う毎に、使用された洗浄薬液及び消毒薬液の残り残量及び残り使用可能回数の管理を行い、その情報を記憶手段としてのフラッシュメモリ８ａに、（以前の内容を更新して）記憶する。  
また、制御部８は、洗浄薬液希釈機構６の薬液ボトル２９及び消毒薬液希釈機構７の薬液ボトル３９Ａ、３９Ｂが交換されたような場合には、新しく装着された薬液ボトル２９の（洗浄）薬液量（及び残り使用可能回数）と、薬液ボトル３９Ａ、３９Ｂの（消毒）薬液量（及び残り使用可能回数）とを更新する。
【００１４】
図２は例えば消毒薬液供給部４４Ａの構成を、ボトル収納部４０Ａに薬液ボトル３９Ａを入れて所定の収納位置（装着位置）にセット（装着）する構成を示す。他の消毒薬液供給部４４Ｂ、及び洗浄薬液供給部３４の構成も同様である。  
ボトル収納部４０Ａは、薬液ボトル３９Ａを着脱できるように例えば上部側が開口する有底の（例えば）円筒形状の容器で構成されている。  
このボトル収納部４０Ａの底面の中央には薬液ボトル３９Ａにおける薬液が密封された状態のボトル先端部が挿入されることにより、リザーバタンク４１Ａ側に薬液を注入するための薬液注入口５１が設けられている。この薬液注入口５１の内側に、ボトル開封用刃５２と、シール部材５３とが設けられている。
【００１５】
ボトル開封用刃５２は、薬液注入口５１の内側で、ボトル収納部４０Ａの底面から上方に、かつ鋭角的に突出する。従って、使用者が、装着しようとする薬液ボトル３９Ａを上方から下方に押し付けることにより、このボトル開封用刃５２は、ボトル先端部の開口を密封する密封シールを開封する。  
また、この薬液注入口５１の内側側面には、開封した薬液がこの口金受け５１から漏れ出さないようにＯリング等のシール部材５３が設けられている。  
また、この薬液注入口５１の上端付近は、例えばテーパ状に拡開し、薬液ボトル３９Ａの先端部をこの薬液注入口５１の深部側、つまり所定の装着位置に位置規制或いはガイドする位置規制部（或いはガイド部）５４が形成されている。  
また、ボトル収納部４０Ａ側面内部にも薬液ボトル３９Ａを、このボトル収納部４０Ａ内の所定の装着位置に位置規制或いはガイドする位置規制部５５が設けられている。
【００１６】
また、このボトル収納部４０Ａの底面の下側には、薬液注入口５１の開口と連通するようにリザーバータンク４１Ａが設けられている。このリザーバータンク４１Ａは、薬液注入口５１を介してボトル収納部４０Ａに薬液ボトル３９Ａが装着されると（図３Ｂ参照）、この薬液ボトル３９Ａと連結して１つの閉空間を形成する。  
このリザーバータンク４１Ａは、例えば薬液注入口５１の内径と略同程度の内径を有する短筒形状で、複数回分の消毒薬液を貯留する貯留部を有し、その底部側は例えばテーパ状に細径にされ、薬液供給管路４３Ａの上端と連結されている。  
この薬液供給管路４３Ａの下端は、希釈タンク４６の上面の開口に連通する。また、この薬液供給管路４３Ａの下端付近には電磁弁４２が設けられ、この電磁弁４２を開にすることにより、リザーバータンク４１Ａ内の消毒薬液がその自重で希釈タンク４６内に供給される。なお、この電磁弁４２の開閉は、制御部８により制御される。
【００１７】
リザーバータンク４１Ａ内には、水位センサ４５Ａが設けられている。この水位センサ４５Ａは、リザーバータンク４１Ａ内の薬液の上面の位置（水位）が、所定位置以下になると、その所定位置が検知水位として設定されたこの水位センサ４５Ａが、（水位）検出信号を制御部８に出力する。  
本実施例においては、水位センサ４５Ａの検知位置は、例えば数回分の消毒を行う消毒薬液の分量となるように予め設定されている。従って、本実施例においては、この水位センサ４５Ａからの検出信号が出力された場合には、消毒薬液供給部４４Ａは、消毒を行う際の残り使用可能回数が予め設定された設定回数（具体的には数回）分以下の消毒薬液量となった状態となる。  
つまり、この水位センサ４５Ａは、リザーバータンク４１Ａを含む薬液ボトル３９Ａ側に残存している消毒薬液量による残り使用可能回数が、予め設定された設定回数以下か否かの判定を行う。このため、水位センサ４５Ａ或いはその検出信号が入力される制御部８は、残り使用可能回数が設定回数以下か否かの判定を行う判定手段を形成する。
【００１８】
制御部８は、この検出信号が入力された場合には、表示部９において、例えば消毒薬液供給部４４Ａの消毒薬液が残り使用可能回数が設定数回以下になった判定結果の表示を行う。従ってこの表示部９は、判別結果を表示することにより使用者に告知する告知手段を形成する。  
また、制御部８は、表示部９において、使用者に対して消毒薬液供給部４４Ａの残り使用可能回数が少なくなっている旨の情報を告知し、さらに新しい薬液ボトル３９Ａをセットすることが望ましい旨も表示により告知するようにしても良い。  
このような情報の表示により、使用者は、消毒薬液供給部４４Ａに新しい薬液ボトル３９Ａをセットすることを円滑に行うことができ、使用者に対する良好な操作性或いは利便性を確保できるようにしている。
【００１９】
なお、内視鏡洗浄消毒装置１の電源が投入された場合、制御部８は、フラッシュメモリ８ａに記憶されている残り使用可能回数（及び残り薬液量）の情報を読み出し、表示部９により表示するようにしても良い。  
なお、図１における他方の消毒薬液供給部４４Ｂ，及び洗浄薬液供給部３４も同様である（洗浄薬液供給部３４の場合には、勿論、消毒薬液を洗浄薬液と読み替え、また番号も対応する番号に読み替える必要がある）。なお、告知手段は、表示部９による表示の場合に限定されるものでなく、例えば音声、或いは音により告知するようにしても良いし、併用しても良い。  
図３Ａは、ボトル収納部４０Ａに薬液ボトル３９Ａを収納して所定の装着状態に設定する状態を示し、この状態は図２を簡略化して示しているものである。図３Ａの状態において、使用者は薬液ボトル３９Ａの上端を押し込むことにより、図３Ｂに示すようにボトル収納部４０Ａに薬液ボトル３９Ａを収納して所定の装着状態に設定することができる。
【００２０】
図３Ｂの状態においては、薬液ボトル３９Ａ内の消毒薬液は、その自重によりその下方に連結配置されたリザーバータンク４１Ａ内に流れ込む分だけ、その上端の水位は下がる。しかし、その水位は、リザーバータンク４１Ａ内に設定された水位センサ４５Ａの位置よりは上方となる。  
そして、図３Ｂに示す状態に設定後、制御部８は、消毒を行う消毒工程が開始すると、消毒薬液希釈機構７の消毒薬液供給部４４Ａ及び４４Ｂを制御する。  
具体的には、制御部８は、希釈弁４７ａを開にして、この希釈弁４７ａが設けられた希釈用管路４７を用いて希釈水を希釈タンク４６内に供給する。  
そして、その際、制御部８は、水位センサ４８の検出信号をモニタし、この水位センサ４８の検出信号の検出結果により、１回分の希釈水が希釈タンク４６内に供給されると、希釈弁４７ａを閉にする。
【００２１】
なお、この場合の水位センサ４８の検出信号は、最も低い位置から２番目に高い位置にその下端が設定されているセンサ電極位置に希釈水の水位が達した場合に出力される。なお、最も低い位置から３番目及び４番目に高い位置にそれぞれ設定されたセンサ電極が、以下の２つの消毒薬液の水位の検出に用いられる。  
次に、制御部８は、消毒薬液供給部４４Ａの電磁弁４２Ａを開にする。この開により、リザーバータンク４１Ａ内の消毒薬液がその自重により、希釈タンク４６内に供給される（流れ込む）。  
その際、制御部８は、水位センサ４８の検出信号をモニタし、この水位センサ４８の検出信号の検出結果により、１回分の消毒薬液が希釈タンク４６内に供給されると、電磁弁４２Ａを閉にする。
【００２２】
次に、制御部８は、消毒薬液供給部４４Ｂの電磁弁４２Ｂを開にする。この開により、リザーバータンク４１Ｂ内の消毒薬液がその自重により、希釈タンク４６内に供給される（流れ込む）。  
その際、制御部８は、水位センサ４８の検出信号をモニタし、この水位センサ４８の検出信号の検出結果により、１回分の消毒薬液が希釈タンク４６内に供給されると、電磁弁４２Ｂを閉にする。  
このようにして、希釈タンク４６内には１回の消毒工程を行う際に用いられる消毒液が調合して準備された状態となる。  
なお、制御部８は、洗浄薬液希釈機構６もほぼ同様に制御することにより、希釈タンク３６内には１回の洗浄工程を行う際に用いられる洗浄液が準備された状態となる。但し、この場合には、洗浄薬液供給部３４は１つのみであるので、希釈タンク３６には洗浄薬液供給部３４から洗浄薬液が１回供給される。また、これに対応して、水位センサ３８は、３本のセンサ電極を備えた構成となっている。
【００２３】
そして、洗浄工程を行う状態になると、制御部８は、ポンプ１１を動作させ、希釈タンク３６内の洗浄液を洗浄消毒槽３内に供給する。その後、制御部８は、ポンプ１９，２０を動作させ、洗浄消毒槽３内の洗浄液を循環させることにより内視鏡２を洗浄する。  
洗浄工程が終了すると、制御部８は、排液弁２４を開にし、ポンプ２６を動作させて、洗浄消毒槽３内の洗浄液を排出する。  
洗浄液の排液が終了し、すすぎを行うすすぎ工程が終了すると、制御部８は消毒工程を開始させる。この場合、制御部８は、ポンプ１２を動作させ、希釈タンク４６内の消毒液を洗浄消毒槽３内に供給する。その後、制御部８は、ポンプ１９，２０を動作させ、洗浄消毒槽３内の消毒液を循環させることにより内視鏡２を消毒する。  
消毒工程が終了すると、制御部８は、排液弁２４を開にし、ポンプ２６を動作させて、洗浄消毒槽３内の消毒液を排出する。
【００２４】
消毒液の排液が終了した場合には、制御部８は、すすぎ工程を行い内視鏡洗浄消毒の処理を終了する。また、制御部８は、フラッシュメモリ８ａ内の洗浄薬液量、及び消毒薬液量の値を、それぞれ１回の内視鏡洗浄消毒の処理で使用した分量だけ、少なくするように更新すると共に、残り使用可能回数も１回分少なくする。  
このようにして内視鏡洗浄消毒の処理を繰り返し行うと、例えば図３Ｂに示した状態の消毒薬液量から図３Ｃに示すように薬液ボトル３９Ａ内の消毒薬液が空になり、リザーバータンク４１Ａ内に設定された水位センサ４５Ａの位置以下の状態になる。  
この状態になると、水位センサ４５Ａにより、検出信号が制御部８に出力される。すると、制御部８は上述したように表示部９により消毒薬液供給部４４Ａの消毒薬液が予め設定された設定数回分以下になった旨の表示を行う。  
使用者は、この表示が行われた場合には、新しい薬液ボトル３９Ａをボトル収納部４０Ａに装着すれば良い。
【００２５】
本実施例によれば、簡単な構成かつ安価に薬液の残り回数を判別ないしは確認することが可能となる。従って、実際に洗浄消毒を行っている最中に薬液が不足して中断するようなことを未然に防止でき、円滑に洗浄消毒を行うことができる。  
また、薬液ボトルとリザーバータンクとを１つの閉空間を形成するような構造とすることで、リザーバータンクを嵩張ることなく設けられるメリットがある。  
なお、上述した実施例１においては、リザーバータンクを、ボトル収納部の底面に一体的に設けた構造にしているが、以下に説明する第１変形例のように、供給管路の途中に設ける構造にしても良い。
【００２６】
図４は、実施例１の第１変形例における消毒薬液希釈機構７Ｃを示す。なお、本変形例は、例えば１つの消毒薬液を希釈して消毒液とするものであるが、実施例１と同様に２つの消毒薬液を希釈する構成に容易に適用できる。  
消毒薬液希釈機構７Ｃは、例えば回転非対称形とした消毒薬液を貯留した薬液ボトル３９及びそのボトル収納部４０と、ボトル収納部４０の底面から斜め下方に延出され、途中から例えば垂直下方に延出された薬液供給管路４３と、この薬液供給管路４３の途中に設けられたリザーバータンク４１と、この薬液供給管路４３の下端付近に設けられた電磁弁４２とからなる自重式の消毒薬液供給部４４Ｃを有する。  
なお、本変形例においては、ボトル収納部４０の上端には、回動により（上端の開口部を）開閉自在とする蓋４０ｃが取り付けてある。
【００２７】
消毒薬液供給部４４Ｃの薬液供給管路４３の下端は、消毒薬液希釈タンク４６に接続され、制御部８の制御下で、電磁弁４２が開にされた場合、リザーバータンク４１から消毒薬液が希釈タンク４６内にその自重で供給される。なお、リザーバータンク４１にはフロートスイッチ４５による水位センサが設けられており、このフロートスイッチ４５の検出信号は制御部８に入力される。  
また、ボトル収納部４０の底面付近には、図２にて説明したように薬液注入口５１，ボトル開封用刃５２、シール部材５３、位置規制部５４が設けられている。また、ボトル収納部４０の側面内部にも位置規制部５５が設けられている。  
また、この希釈タンク４６の上面には希釈水を注入する注入口６１が設けられており、図１にて示したように水道蛇口３７ｂから希釈水が供給される。
【００２８】
また、この希釈タンク４６には、この希釈タンク４６内に供給される希釈水、消毒薬液の供給量を検出する３本のセンサ電極からなる水位センサ４８Ｃが設けられており、この水位センサ４８Ｃの検出信号は制御部８に入力される。  
そして、制御部８の制御下で希釈タンク４６には、１回分の消毒を行う消毒薬液が希釈水で希釈されて消毒液として貯留され、消毒工程が開始すると制御部８はポンプ１２を駆動させて消毒液供給管路５を経て消毒液を洗浄消毒槽３内に供給する。  
本変形例は、実施例１の場合と同様に簡単な構成かつ安価に薬液の残り回数を判別ないしは確認することが可能となる。  
なお、上述した実施例１及び第１変形例においては、リザーバータンク４１内の薬液を自重で希釈タンク４６内に注入する構造としていたが、以下に説明する変形例のように、吸引したり、加圧する等してリザーバータンク４１内の薬液を希釈タンク４６内に注入する構造にしても良い。
【００２９】
図５は第２変形例における消毒薬液供給部４４Ｄを示す。この消毒薬液供給部４４Ｄは、図４の消毒薬液供給部４４Ｃにおいて、リザーバータンク４１の底部を閉塞し、このリザーバータンク４１の上面側から希釈タンク４６に接続する送液管路６３を設け、この送液管路６３の途中に送液する送液ポンプ６４を設けている。  
なお、このリザーバータンク４１は、例えば上方に延出した管路６５によりその先端で吸気口６６を形成し、送液ポンプ６４を送液動作させた場合には、気密状態にするための逆止弁６７が介挿されている。その他は、図４の構成と同じである。  
本変形例は、送液ポンプ６４を設けることにより、リザーバータンク４１内の薬液を吸引して希釈タンク４６に送液する点が第１変形例と異なる。送液ポンプ６４が必要となる点以外の効果としては第１変形例と類似している。
【００３０】
図６は第３変形例における消毒薬液供給部４４Ｅを示す。この消毒薬液供給部４４Ｅは、図５の消毒薬液供給部４４Ｄにおいて、上記管路６５の上端の吸気口６６に相当する端部に加圧して送液を行うエアーポンプ７１を設け、送液ポンプ６４を設けない構造にしている。  
この場合、管路６５の下端の取り付け位置を、ボトル収納部４０の底面とリザーバータンク４１とを結ぶ薬液供給管路４３の途中位置とし、また、このボトル収納部４０の底面とリザーバータンク４１とを結ぶ薬液供給管路４３の途中位置にさらに逆止弁７２を設けている。  
本変形例は、エアーポンプ７１により、リザーバータンク４１内の薬液を加圧して希釈タンク４６に送液する点が第２変形例と異なるが、その効果としては殆ど同じである。
【００３１】
（実施例２）
図７は本発明の実施例２における消毒薬液希釈機構７Ｆを示す。なお、本実施例は、例えば１つの消毒薬液を希釈して消毒液とする場合で説明する。  
この消毒薬液希釈機構７Ｆは、図４に示した消毒薬液希釈機構７Ｃにおいてボトル収納部４０の底面とリザーバータンク４１とを結ぶ薬液供給管路４３の途中に第２の電磁弁７４を設けた構成の消毒薬液供給部４４Ｆとし、この第２の電磁弁７４の開閉を制御部８により制御する構成にしている。  
なお、このリザーバータンク４１の（水平方向の）断面積は、希釈タンク４６の（水平方向の）断面積に比較するとかなり或いは遙かに小さい。そして、本実施例においては、このリザーバータンク４１及びフロートスイッチ４５を用いて、制御部８は、１回毎に１回分の（消毒）薬液を計測して、計測された定量の薬液を希釈タンク４６に供給（注入）する構成にしている。
【００３２】
この為、フロートスイッチ４５は、電磁弁４２を閉にした状態のリザーバータンク４１内に薬液を注入した場合、１回の消毒に使用される分量の薬液の上面が位置する水位で、例えばＯＦＦからＯＮとなるように設定されている。  
なお、１回分の薬液を計測する水位検知センサとしては、フロートスイッチ４５に限らず、他の水位センサでも良い。その他の構成は、図４と同様である。  
本実施例においては、１回分の薬液の水位を計測（検知）する水位検知センサを採用しているので、制御部８は、新しい薬液ボトル３９が装着された場合、その薬液ボトル３９による残り使用可能回数をフラッシュメモリ８ａに記憶し、その後は洗浄消毒の工程が行われる度に、フラッシュメモリ８ａに記憶された残り使用可能回数から１回分を減算する。そして、その残り使用可能回数が予め設定された設定数回（例えば３回）以下か否かの判定を行い、数回以下に達した場合には、制御部８は表示部９を用いて告知する。
【００３３】
次に本実施例の動作を説明する。本実施例においては、希釈タンク４６に薬液を供給する場合には、制御部８は電磁弁４２を閉にし、その後第２の電磁弁７４を開にすることにより、薬液ボトル３９側から薬液が自重でリザーバータンク４１内に注入される。  
そして、１回の消毒に使用される分量の薬液がリザーバータンク４１内に注入されると、フロートスイッチ４５がＯＮとなり、その検出信号が入力されると、制御部８は第２の電磁弁７４を閉にする。  
その後、制御部８は電磁弁４２を開にして、リザーバータンク４１内に注入（貯留）された１回の消毒に使用される分量の薬液を希釈タンク４６に注入する。  
この場合には、制御部８は、水位センサ４８Ｃによる検出信号よりもフロートスイッチ４５により検出信号を優先して使用する。
【００３４】
本実施例によれば、希釈タンク４６の断面積よりもかなり小さい断面積のリザーバータンク４１に設けたセンサにより１回分の消毒薬液を精度良く定量計測するようにしているので、実施例１の場合よりも精密な計測ができる。  
従って、実施例１の場合よりも、使用毎の薬液量のばらつきを少なくでき、リザーバータンク４１から希釈タンク４６への供給回数から薬液ボトル３９側の薬液残量を精度良く判別或いは確認できる。  
また、１回毎に残りの薬液量及び残り使用可能回数の情報を記憶手段としてのフラッシュメモリ８ａに記憶しているので、残り使用可能回数が設定回数以下になった場合には制御部８は、その判定結果を表示部９により告知する。  
この場合、上記のように１回分の消毒薬液を精度良く定量計測できるので、判定結果の告知も精度の良いのもとなる。
【００３５】
本実施例においては、リザーバータンク４１内の薬液を希釈タンク４６に薬液の自重で供給する構成にしているが、図８に示す第１変形例の消毒薬液供給部４４Ｇのように送液ポンプ６４を用いて吸い上げて送液する構成にしたり、図９に示す第２変形例の消毒薬液供給部４４Ｈのようにエアーポンプ７１を用いて加圧して送液する構成にしても良い。    なお、図８及び図９の構成は、図５及び図６において、第２の電磁弁７４を除く構成を説明しているのでその説明を省略する。  
これらの変形例は、送液ポンプ６４又はエアーポンプ７１が必要となるが、その他の効果は実施例２と殆ど同じ効果を有する。  
なお、上述した各実施例等を部分的に組み合わせる等して構成される実施例等も本発明に属する。
【産業上の利用可能性】
【００３６】
洗浄消毒槽に洗浄消毒対象の内視鏡を収納して洗浄消毒する。
【図面の簡単な説明】
【００３７】
【図１】図１は本発明の実施例１の内視鏡洗浄消毒装置の構成図。
【図２】図２は図１における消毒薬液供給部の構成を示す断面図。
【図３Ａ】図３Ａは薬液供給部を、ボトル収納前の状態で示す図。
【図３Ｂ】図３Ｂは薬液供給部を、ボトル収納後の状態で示す図。
【図３Ｃ】図３Ｃは薬液供給部を、ボトル収納後における残り使用可能回数が所定量以下に達した状態で示す図。
【図４】図４は実施例１の第１の変形例における消毒薬液希釈機構を含む構成図。
【図５】図５は実施例１の第２の変形例における消毒薬液供給部の構成図。
【図６】図６は実施例１の第３の変形例における消毒薬液供給部の構成図。
【図７】図７は本発明の実施例２における消毒薬液希釈機構の構成を示す構成図。
【図８】図８は実施例２の第１の変形例における消毒薬液供給部の構成図。
【図９】図９は実施例２の第２の変形例における消毒薬液供給部の構成図。
【符号の説明】
【００３８】
１…内視鏡洗浄消毒装置、２…内視鏡、３…洗浄消毒槽、４…洗浄液供給管路、５…消毒液供給管路、６…洗浄薬液希釈機構、７…消毒薬液希釈機構、８…制御部、９…表示部、１１、１２、１９，２０，２６…ポンプ、２９、３９Ａ、３９Ｂ…薬液ボトル、３０，４０、４０Ａ、４０Ｂ…ボトル収納部、３１、４１、４１Ａ、４１Ｂ…リザーバータンク、３２、４２、４２Ａ、４２Ｂ…電磁弁、３３…薬液供給管路、３４…洗浄薬液供給部、３５，４５Ａ、４５Ｂ…水位センサ、３６、４６…希釈タンク、３８、４８…水位センサ、４３Ａ、４３Ｂ…薬液供給管路、４４Ａ、４４Ｂ…消毒薬液供給部
【図１】
2010035619.tif 000003
【図２】
2010035619.tif 000004
【図３Ａ】
2010035619.tif 000005
【図３Ｂ】
2010035619.tif 000006
【図３Ｃ】
2010035619.tif 000007
【図４】
2010035619.tif 000008
【図５】
2010035619.tif 000009
【図６】
2010035619.tif 000010
【図７】
2010035619.tif 000011
【図８】
2010035619.tif 000012
【図９】
2010035619.tif 000013